(57)【要約】【課題】光の分化、減衰を防ぎかつ長距離の伝送に耐え、さらにＲ、Ｇ、Ｂの同期を取ることが可能なコンポジット信号光伝送システムを提供する。【解決手段】送信部が、コンポジット信号をＨｓｙｎｃ信号とＶｓｙｎｃ信号に同期分離する同期分離部と、コンポジット信号のレベルを合わせるペディスタルクランプ部と、Ｖｓｙｎｃ信号を変化させるＰＬＬ部と、Ａ／Ｄ変換部と、コンポジット信号をシリアルからパラレルに変換するシリアル／パラレル変換部と、光信号に変換し送信するＴＸ部とからなり、さらに受信部が、光信号を受信して電気信号のコンポジット信号に変換するＲＸ部と、パラレルからシリアルに変換するパラレル／シリアル変換部と、Ｄ／Ａ変換部と、入力インピーダンスに合わせるための７５Ωドライバ部とからなる構成である。【選択図】　　図１
2004128572.tif 000002
【特許請求の範囲】
【請求項１】
送信部から受信部に入力したコンポジット信号を光信号に変換し長距離伝送する光伝送システムにおいて、送信部が、入力されたコンポジット信号をＨｓｙｎｃ信号とＶｓｙｎｃ信号に同期分離する同期分離部と、Ｈｓｙｎｃ信号によりコンポジット信号のレベルを合わせるペディスタルクランプ部と、変位している信号に合わせるためＶｓｙｎｃ信号を変化させるＰＬＬ部と、アナログ信号からデジタル信号に変換するＡ／Ｄ変換部と、デジタル信号に変換されたコンポジット信号をシリアルからパラレルに変換するシリアル／パラレル変換部と、コンポジット信号を光信号に変換し送信するＴＸ部とからなることを特徴とするコンポジット信号光伝送システム。
【請求項２】
送信部から受信部に入力したコンポジット信号を光信号に変換し長距離伝送する光伝送システムにおいて、受信部が、光信号を受信して電気信号のコンポジット信号に変換するＲＸ部と、コンポジット信号をパラレルからシリアルに変換するパラレル／シリアル変換部と、シリアルに変換されたコンポジット信号をデジタル信号からアナログ信号に変換するＤ／Ａ変換部と、モニタ等の入力インピーダンスに合わせるための７５Ωドライバ部とからなることを特徴とするコンポジット信号光伝送システム。
【請求項３】
前記送信部は、データを追加し伝送させるために、コントロール回路を具備したことを特徴とする請求項１記載のコンポジット信号光伝送システム。
【請求項４】
前記受信部は、送信部で追加されたデータを取り出すためにコントロール回路を具備したことを特徴とする請求項２記載のコンポジット信号光伝送システム。
【請求項５】
コンポジット信号光伝送システムは、
コンポジット信号を入力する信号入力工程と、
入力されたコンポジット信号をＨｓｙｎｃ信号とＶｓｙｎｃ信号に同期分離する同期分離工程と、
送信する信号と位相が合ったＶｓｙｎｃ信号を得るためのＰＬＬ工程と、
Ｈｓｙｎｃ信号によりコンポジット信号のレベルを合わせるペディスタルクランプ工程と、
コンポジット信号をアナログからデジタルに変換するＡ／Ｄ変換工程と、
デジタルに変換されたコンポジット信号をシリアルからパラレルに変換するシリアル／パラレル変換工程と、
パラレルに変換されたコンポジット信号を光信号に変換する光変換工程と、
変換された光信号を送信する光送信工程と、
からなることを特徴とするコンポジット信号光伝送システム。
【請求項６】
コンポジット信号光伝送システムは、
光信号を受信する光受信工程と、
受信した光信号を電気信号のコンポジット信号に変換する電気変換工程と、
変換されたコンポジット信号をパラレルからシリアルに変換するパラレル／シリアル変換工程と、
シリアルに変換されたコンポジット信号をデジタルからアナログに変換するＤ／Ａ変換工程と、
コンポジット信号の出力インピーダンスを７５Ωにする７５Ω工程と、
コンポジット信号を出力する信号出力工程と、
からなることを特徴とするコンポジット信号光伝送システム。
【発明の詳細な説明】
【０００１】
【発明の属する技術分野】
本発明は、コンポジット信号の光伝送システムに関し、特にビデオ信号を減衰または劣化させることなく電送するとともにＲ、Ｇ、Ｂ信号の同期を簡単に取ることが出来るコンポジット信号光伝送システムに関する。
【０００２】
【従来の技術】
【特許文献１】特開２００２−２８０９５９号公報
【０００３】
従来の光伝送システムでは連続伝送する際に、スプリッターで分光して再伝送する方式が採用されているが、スプリッターを使用する方式では光信号を分化しているため減衰し透過性が悪くなるのが一般的であった。そのため、光信号を分化する方式では、通常であれば３メートル程度で最大でも５メートル程度しか伝送できず、長距離伝送は困難であると考えられていた。
また、敢えて長距離を伝送させる場合には、コードで中継連結する必要があった。コードの設置できる範囲は限定されることは勿論のこと、そのために敷設したコードが非常に邪魔になるという欠点があった。また、複数のファイバー線を使用する従来の方式ではファイバー線の設置コストも非常に高く、低価格な光伝送システムは残念ながら提供されていないのが実情であった。
【０００４】
低価格の伝送方式として今までは、アナログ信号を有線または無線で送受信させるのが一般的であった。しかし、アナログ信号による伝送では長距離を伝送させると信号の減衰や劣化が発生する欠点があり、その欠陥を補正する為には受信部において減衰や劣化した信号を回復させる為に常時機器を用意して増幅をしなければならない本質的な欠陥があった。
【０００５】
また、データを利用する需要者の側からは、設置に要する経費とは無関係に、減衰の無いデジタル方式での送受信が求められていた。しかし、光伝送システム自体が高価なため安易に用いることができないものとされてきた。
【０００６】
本発明の出願人は光伝送を用いたビデオ信号の送受信システムを開発している。「ビデオ信号光伝送システム」（特願２００１−１７４７５１号公報）である。この発明はビデオ信号を光信号を用いて伝送するシステムであり、利用されている光伝送システムはＰｈｏｔｏｎＬｉｎｋ（商標）であり、ＷＤＭ光伝送システムのように波長を多重して送受信を行わず、一つの信号を一本の光ファイバーで伝送する多芯光ファイバシステムである。このシステムでは、オーディオ信号及びビデオ信号を最大約３ｋｍまで減衰させないで伝送できる利点がある。
しかし、上記ビデオ信号光伝送システムでは、Ｒ、Ｇ、Ｂ信号を伝送する際Ｖｓｙｎｃ信号（垂直同期信号）が微妙にずれてしまい、Ｒ、Ｇ、Ｂの同期をとるのが難しかった。上記ビデオ信号光伝送システムは、ビデオ信号を長距離伝送する画期的な発明であるが、この同期をとるのが難しいことから改良することが必要不可欠であった。
そこで、低価格で長距離伝送可能であり、且つ簡単に同期を取れるコンポジット信号光伝送システムの開発が望まれていた。
【０００７】
【発明が解決しようとする課題】
上記の問題を解決するために本発明のコンポジット信号光伝送システムは、光の分化、減衰を防ぎかつ長距離の伝送に耐え、さらにＲ、Ｇ、Ｂの同期を取ることが可能なコンポジット信号光伝送システムを提供することを目的としている。
【０００８】
【課題を解決するための手段】
上記の目的を達成するために本発明に係るコンポジット信号光伝送システムは、入力したコンポジット信号を光信号に変換し長距離伝送する光伝送システムにおいて、送信部は、入力されたコンポジット信号をＨｓｙｎｃ信号とＶｓｙｎｃ信号に同期分離する同期分離部と、Ｈｓｙｎｃ信号によりコンポジット信号のレベルを合わせるペディスタルクランプ部と、変動している信号に合わせるためＶｓｙｎｃ信号を変化させるＰＬＬ部と、アナログ信号からデジタル信号に変換するＡ／Ｄ変換部と、コンポジット信号をシリアルからパラレルに変換するシリアル／パラレル変換部と、コンポジット信号を光信号に変換し送信するＴＸ部とからなる構成である。また、受信部は、光信号を受信して電気信号のコンポジット信号に変換するＲＸ部と、パラレルからシリアルに変換するパラレル／シリアル変換部と、デジタル信号からアナログ信号に変換するＤ／Ａ変換部と、モニタ等の入力インピーダンスに合わせるための７５Ωドライバ部とからなる構成である。また、前記送信部は、データを追加し伝送させるために、コントロール回路を具備した構成でもある。さらに、前記受信部は、送信部で追加されたデータをとりだすためにコントロール回路を具備した構成でもある。
【０００９】
コンポジット信号光伝送システムは、コンポジット信号を入力する信号入力工程と、入力されたコンポジット信号をＨｓｙｎｃ信号とＶｓｙｎｃ信号に同期分離する同期分離工程と、位相が合った発振出力を得るためのＰＬＬ工程と、Ｈｓｙｎｃ信号によりレベルを合わせるペディスタルクランプ工程と、アナログからデジタルに変換するＡ／Ｄ変換工程と、シリアルからパラレルに変換するシリアル／パラレル変換工程と、光信号に変換する光変換工程と、変換された光信号を送信する光送信工程とからなる構成である。また、コンポジット信号光伝送システムは、光信号を受信する光受信工程と、受信した光信号を電気信号に変換する電気変換工程と、パラレルからシリアルに変換するパラレル／シリアル変換工程と、デジタルからアナログに変換するＤ／Ａ変換工程と、出力インピーダンスを７５Ωにする７５Ω工程と、信号を出力する信号出力工程とからなる構成である。
【００１０】
【作用】
本発明に係るコンポジット信号光伝送システムでは、コンポジット信号を同期分離し、ペディスタルクランプ部でレベルを合わせるため、簡単に同期をとることが可能となる。また、光ファイバを使用して伝送するため、長距離であっても減衰および劣化なく信号を伝送することが可能となる。
【００１１】
【発明の実施の形態】
以下に本発明に係るコンポジット信号光伝送システムを図面に示す実施例に基づき詳細に説明する。図１は本発明のコンポジット信号光伝送システムの送信部を示すブロック図であり、図２は本発明のコンポジット信号光伝送システムの受信部を示すブロック図である。図３はコンポジット信号光伝送システムの送信部の操作工程を示すフローチャートであり、図４はコンポジット信号光伝送システムの受信部の操作工程を示すフローチャートである。
【００１２】
本発明のコンポジット信号光伝送システム１０の送信部１は、同期分離部１１と、ペディスタルクランプ部１２と、ＰＬＬ部１３と、Ａ／Ｄ変換部１４と、シリアル／パラレル変換部１５と、ＴＸ部１６とからなる。
【００１３】
同期分離部１１は、入力されたコンポジット信号をＨｓｙｎｃ信号とＶｓｙｎｃ信号に同期分離する。この際、Ｈｓｙｎｃ信号はペディスタルクランプ部１２に、Ｖｓｙｎｃ信号はＰＬＬ部１３に伝送される。
【００１４】
ペディスタルクランプ部１２は、伝送されたＨｓｙｎｃ信号によりコンポジット信号を光伝送に適したレベルに合わせる。
【００１５】
ＰＬＬ部１３は、伝送されたＶｓｙｎｃ信号のコンポジット信号に合った発振出力を得るように周波数の補正を行う。
【００１６】
Ａ／Ｄ変換部１４は、伝送されたコンポジット信号のＶｓｙｎｃ信号を伝送用にアナログ信号からデジタル信号に変換する。
【００１７】
シリアル／パラレル変換部１５は、伝送されたコンポジット信号をＶｓｙｎｃ信号によりシリアルからパラレルに変換する。
【００１８】
ＴＸ部１６は、伝送されたコンポジット信号を光信号に変換し送信する。ＴＸ部１６は光ファイバと直接繋がっており、光信号に変換し、送信することにより減衰、および劣化なく、高速で長距離伝送をすることが出来る。
【００１９】
コンポジット信号光伝送システムを図１により詳細に説明すると、入力されたコンポジット信号はまず同期分離部１１とペディスタルクランプ部１２に伝送される。同期分離部１１では、コンポジット信号は同期分離され、Ｈｓｙｎｃ信号（水平同期信号）とＶｓｙｎｃ信号（垂直同期信号）に分離される。分離されたＨｓｙｎｃ信号はペディスタルクランプ部１２に伝送される。伝送されたＨｓｙｎｃ信号によりコンポジット信号のレベルが合わせられＡ／Ｄ変換部１４に伝送される。また、ＰＬＬ部１３に伝送されたＶｓｙｎｃ信号は、ＰＬＬ部でコンポジット信号にあった発振出力で出力され、Ａ／Ｄ変換部１４とシリアル／パラレル変換部１５に伝送される。Ａ／Ｄ変換部１４に伝送されたコンポジット信号は、Ｖｓｙｎｃ信号によりアナログからデジタルに変換されシリアル／パラレル変換部１５に伝送される。伝送されたアナログからデジタルに変換されたコンポジット信号は、Ｖｓｙｎｃ信号によりシリアル／パラレル変換部１５でシリアルからパラレルに変換されＴＸ部１６に伝送される。ＴＸ部１６では伝送されたコンポジット信号を光信号に変換し光ファイバにより送信する。
【００２０】
次に本発明のコンポジット信号光伝送システム１０の受信部は、光信号を受信し、電気信号に変換するＲＸ部２１と、パラレルからシリアルに変換するパラレル／シリアル変換部２２と、デジタル信号からアナログ信号に変換するＤ／Ａ変換部２３と、終端出力を７５Ωにする７５Ωドライバ部２４とからなる。
【００２１】
ＲＸ部２１は、送信部から送信されてきた光信号を受信し、電気信号に変換する。送信された光信号は送信部から送信されたコンポジット信号であり、電気信号に変換することによりパラレルになっているコンポジット信号を伝送することができる。
【００２２】
パラレル／シリアル変換部２２は、送信部でパラレルに変換されたコンポジット信号をシリアルに変換する。
【００２３】
Ｄ／Ａ変換部２３は、送信部でデジタル信号に変換されたコンポジット信号をアナログ信号に変換する。アナログ信号に戻すことによりコンポジット信号は出力できるようになる。また、接続する機器がデジタル入力も可能な場合はアナログに戻す必要はなく、デジタルのまま出力することも可能である。
【００２４】
７５Ωドライバ部２４は、コンポジット信号の出力インピーダンスを７５Ωにする。この実施例では７５Ωドライバを使用しているが、７５Ω以外のものを使用することも可能である。
【００２５】
本発明に係るコンポジット信号光伝送システム１０の受信部を図２により詳細に説明すると、送信されてきた光信号になっているコンポジット信号はＲＸ部２１で受信され電気信号に変換される。電気信号に変換されたコンポジット信号はパラレル／シリアル変換部２２に伝送される。パラレル／シリアル変換部２２では伝送されたコンポジット信号をパラレルからシリアルに変換し、Ｄ／Ａ変換部２４に伝送する。Ｄ／Ａ変換部２４に伝送されたシリアルに変換されたコンポジット信号は、デジタルからアナログに変換される。アナログに変換されたコンポジット信号は、７５Ωドライバ部２５で出力インピーダンスを７５Ωにされてから出力される。
【００２６】
この実施例では、ＷＤＭ（Ｗａｖｅｌｅｎｇｔｈ　Ｄｉｖｉｓｉｏｎ　Ｍｕｌｔｉｐｌｅｘ＝波長分割多重）方式（１本の光ファイバに異なる波長の光を通してチャンネルを多重化することで、大容量のデータを双方向で伝送する技術）を採用していない。本件発明では、１つのデータ伝送を１本のファイバ線で伝送する方式であるため、減衰、劣化の心配がない。またＷＤＭ方式ではないので、光ファイバ伝送装置で使用されるレンズを必要としないため安価な装置を構築することができる。
ビデオ信号でこのシステムを用いると、Ｒ，Ｇ，Ｂのそれぞれの信号とコントロール、クロックの５つの信号を５本に分けて伝送するためにダイレクトにデータを伝送することが可能になる。そのため、減衰、劣化がなくダイレクトに大容量の信号を送信することが可能となる
【００２７】
コンポジット信号光伝送システムは上記のシステムを用いている為、コンポジット信号を減衰、劣化なく長距離伝送することが可能となった。
また、コンポジット信号光伝送システムは、前述のシステムの例の５つの信号に限定されず、より多くの信号を同時に送信する事も可能である。
【００２８】
本発明のコンポジット信号光伝送システム１０は、コンポジット信号を入力する信号入力工程３０と、入力されたコンポジット信号をＨｓｙｎｃ信号とＶｓｙｎｃ信号に同期分離する同期分離工程４０と、コンポジット信号に合ったＶｓｙｎｃ信号の発振出力を得るためのＰＬＬ工程５０と、Ｈｓｙｎｃ信号によりコンポジット信号のレベルを合わせるペディスタルクランプ工程６０と、アナログからデジタルに変換するＡ／Ｄ変換工程７０と、シリアルからパラレルに変換するシリアル／パラレル変換工程８０と、光信号に変換する光変換工程９０と、変換された光信号を送信する光送信工程１００とからなる構成である。
【００２９】
信号入力工程３０は、コンポジット信号を入力する工程である。
【００３０】
同期分離工程４０は、コンポジット信号をＨｓｙｎｃ信号とＶｓｙｎｃ信号に同期分離する工程である。同期分離されたＨｓｙｎｃ信号、およびＶｓｙｎｃ信号は、Ｈｓｙｎｃ信号はペディスタルクランプ部１２に伝送され、Ｖｓｙｎｃ信号はＰＬＬ部に伝送される。
【００３１】
ＰＬＬ工程５０は、コンポジット信号に合ったＶｓｙｎｃ信号を出力する工程である。コンポジット信号に合わせたＶｓｙｎｃ信号は、Ａ／Ｄ変換部およびシリアル／パラレル変換部１５に伝送される。
【００３２】
ペディスタルクランプ工程６０は、Ｈｓｙｎｃ信号によりコンポジット信号のレベルを合わせる工程である。ペディスタルクランプ部１２でレベルが合わせられたコンポジット信号はＡ／Ｄ変換部１４に伝送される。
【００３３】
Ａ／Ｄ変換工程７０は、Ｖｓｙｎｃ信号により、コンポジット信号をアナログ信号からデジタル信号に変換する工程である。デジタル信号に変換されたコンポジット信号はシリアル／パラレル変換部１５に伝送される。
【００３４】
シリアル／パラレル変換工程８０は、デジタル信号にされたコンポジット信号をシリアルからパラレルに変換する工程である。パラレルに変換されたコンポジット信号は、ＴＸ部１６に伝送される。
【００３５】
光変換工程９０は、ＴＸ部において、伝送されたパラレルにされたコンポジット信号を光信号に変換する工程である。光信号に変換するため、長距離であっても減衰、および劣化なく伝送することが可能となる。
【００３６】
光送信工程１００は、光信号に変換されたコンポジット信号を光ファイバにより送信する工程である。光ファイバは複数本をまとめて１本の被覆された光ファイバを使用するため、ＷＤＭ方式の光伝送とは違い、減衰、および劣化がなく中継地なしで長距離伝送することが可能となる。
【００３７】
コンポジット信号光伝送システム１０は、光信号を受信する光受信工程１１０と、受信した光信号を電気信号に変換する電気変換工程１２０と、パラレルからシリアルに変換するパラレル／シリアル変換工程１３０と、デジタルからアナログに変換するＤ／Ａ変換工程１４０と、終端を７５Ωにする７５Ω工程１５０と、信号を出力する信号出力工程１６０とからなる構成である。
【００３８】
光受信工程１１０は、送信部より送信された光信号を受信部のＲＸ部２１で受信する工程である。光ファイバを使用して送受信しているため、信号の劣化、および減衰がないため信号を増幅せずそのまま伝送することが可能となる。
【００３９】
電気変換工程１２０は、受信した光信号を電気信号に変換する工程である。変換され電気信号となるのはパラレルのコンポジット信号である。
【００４０】
パラレル／シリアル変換工程１３０は、送信部でパラレル信号に変換されたコンポジット信号をシリアルに戻す工程である。
【００４１】
Ｄ／Ａ変換工程１４０は、シリアルに変換されたコンポジット信号をアナログ信号に変換する工程である。
【００４２】
７５Ω工程１５０は、コンポジット信号の出力インピーダンスを７５Ωにする工程である。通常の機器は７５Ωで対応する事ができるが、７５Ω以外のインピーダンスを出力する際には７５Ωドライバ部２４を代えることで可能となる。
【００４３】
コンポジット信号光伝送システムは、同期を簡単にとることが可能となるため光伝送技術に関して様々な応用をすることができる。例えばビデオ信号等の映像信号光伝送システム等で同期を簡単にとりたい場合本発明のコンポジット信号光伝送システムを使用することにより、今まで問題であった同期をとる困難さを考えずに光伝送システムを構築することが可能となる。
【００４４】
【発明の効果】
１．送信部が、同期分離部と、ペディスタルクランプ部と、ＰＬＬ部と、Ａ／Ｄ変換部と、シリアル／パラレル変換部と、ＴＸ部とからなる簡単な構成で長距離でも減衰劣化のない装置を製造することが可能となる。
２．受信部が、ＲＸ部と、パラレル／シリアル変換部と、Ｄ／Ａ変換部と、７５Ωドライバ部とからなる簡単な構成で長距離でも減衰劣化のない装置を製造することが可能となる。
３．　コンポジット信号光伝送システムによりＲＧＢ信号等の同期をとる伝送システムを構築するのが簡単になった。
４．送信部および受信部は、コントロール回路を具備し、データを追加して伝送することが可能となり、また送信部で追加されたデータをとりだすことが可能となる。
【００４５】
５．コンポジット信号光伝送システムは、信号入力工程と同期分離工程とＰＬＬ工程とペディスタルクランプ工程とＡ／Ｄ変換工程とシリアル／パラレル変換工程と光変換工程と光送信工程とからなる簡単な工程で操作することが可能となる。
６．コンポジット信号光伝送システムは、光受信工程と電気変換工程とパラレル／シリアル変換工程とＤ／Ａ変換工程と７５Ω工程と信号出力工程とからなる簡単な工程で操作することが可能となる。
【図面の簡単な説明】
【図１】コンポジット信号光伝送システムの送信部の基本的構成を示すブロック図
【図２】コンポジット信号光伝送システムの受信部の基本的構成を示すブロック図
【図３】コンポジット信号光伝送システムの送信部の工程を示すフローチャート
【図４】コンポジット信号光伝送システムの受信部の工程を示すフローチャート
【符号の説明】
１　　　送信部
２　　　受信部
１０　　コンポジット信号光伝送システム
１１　　同期分離部
１２　　ペディスタルクランプ部
１３　　ＰＬＬ部
１４　　Ａ／Ｄ変換部
１５　　シリアル／パラレル変換部
１６　　ＴＸ部
２１　　ＲＸ部
２２　　パラレル／シリアル変換部
２４　　Ｄ／Ａ変換部
２５　　７５Ωドライバ部
３０　　信号入力工程
４０　　同期分離工程
５０　　ＰＬＬ工程
６０　　ペディスタルクランプ工程
７０　　Ａ／Ｄ変換工程
８０　　シリアル／パラレル変換工程
９０　　光変換工程
１００　光送信工程
１１０　光受信工程
１２０　電気変換工程
１３０　パラレル／シリアル変換工程
１４０　Ｄ／Ａ変換工程
１５０　７５Ω工程
１６０　信号出力工程
【図１】
2004128572.tif 000003
【図２】
2004128572.tif 000004
【図３】
2004128572.tif 000005
【図４】
2004128572.tif 000006